(57)【要約】【課題】高効率かつ熱に強いファンモーターを有するプロジェクターを提供する。【解決手段】ファンモーターのブレード１４とモーター部１７を分離しすることにより、モーター部１７を格納するために必要であったスペースが不要になりブレード１４を大きくすることができ、ファンモーターの効率を上げることができる。また、分離したモーター部１４をワイヤー１８によってブレード１４と接続することで分離したモーターの回転動作をブレードに伝える。さらに熱に弱いモーター部１７を温度の高い光源ランプ部から離すことにより熱に対する信頼性を向上できる。【選択図】図１
2006259057.tif 000002
【特許請求の範囲】
【請求項１】
ブレードと前記ブレードを駆動させるモーターを備え、前記モーターがブレード内部にない冷却ファンを有することを特徴とするプロジェクターの冷却装置。
【請求項２】
ブレードの重心に固定されたシャフトとモーターはフレキシブルなワイヤーにて連結されていることを特徴とする請求項１に記載のプロジェクターの冷却装置。
【請求項３】
シャフトとモーターとワイヤーはそれぞれ接合部において断面の重心位置が同じになるように連結されていることを特徴とする請求項２に記載のプロジェクターの冷却装置。
【請求項４】
ワイヤーが中空状のチューブに覆われて形成されていることを特徴とする請求項２に記載のプロジェクターの冷却装置。
【請求項５】
モーターがブレードの温度より低い個所に配置されることを特徴とする請求項１に記載のプロジェクターの冷却装置。
【発明の詳細な説明】
【技術分野】
【０００１】
本発明は冷却風を送風するファンを有するプロジェクターの冷却装置に関するものである。
【背景技術】
【０００２】
近年プロジェクターでは投影画面を明るくするため高輝度化が促進されている。また、パーソナルコンピュータの普及拡大などによって、電子プレゼンテーションも多く用いられ、ノートパソコンなどの画像出力装置としての可搬性の優れる小型軽量化も強く望まれている。
【０００３】
そのため、高輝度化にともなって光源ランプの出力も大きくなり、光源ランプや光学デバイスの冷却性能や筐体内に発生した熱の排気性能が重要課題となっている。
【０００４】
プロジェクターにおいては、その内部にある光源ランプや光学デバイスを冷却するための冷却ファンや筐体内にこもった熱を外部に排出するための排気用の冷却ファンが設けられている。
【０００５】
図３は従来のプロジェクターの構成を示す平面図である。プロジェクターは直方体状の形状を有する中空の筐体１に収容される光学ブロック部２と、電源部３と、電気回路部４を有し、これらの部位を冷却する冷却部５と、筐体内にこもった熱を外部に排出する排気部６からなる。
【０００６】
光学ブロック部は光源ランプ部７とランプ光をＲＧＢに分光する分光部８と、映像を表示するためにＲＧＢ各液晶パネルからなる映像表示部９と、各ＲＧＢ画像を合成する合成部１０と、映像を拡大して投射する投射レンズ部１１とにより構成されている。
【０００７】
冷却部５にはダクト１２を通って合成部１０と、電源部３とに冷却風を導くためにファンモーター１３ａ、１３ｂが配置されており、排気部６には発熱量の高い光源ランプ部７の熱を速やかに筐体外部に排出するためにファンモーター１３ｃが光源ランプ部７と筐体１の壁面の近くに配置される。
【０００８】
ここではファンモーター１３ａはシロッコファン、ファンモーター１３ｂ、１３ｃは軸流ファンである。
【０００９】
図４はシロッコファンの構成図、図５は軸流ファンの構成図である。図４、図５に示すようにファンモーター１３ａ、１３ｂ、１３ｃにはそれぞれのブレード１４ａ、１４ｂ、１４ｃの中心部にブレード１４ａ、１４ｂ、１４ｃを回転させるモーター部１５ａ、１５ｂ、１５ｃが格納されている。
【００１０】
モーター部の構成はシロッコファンと軸流ファンで同じである。また、ファンモーター１３ａ、１３ｂ、１３ｃはリード線１６ａ、１６ｂ、１６ｃを介して電気回路部４と電気的に接続され、モーター部１４に電流を流すことでブレード１４が回転し、合成部１０や電源部３の冷却や筐体外部に熱を排出する機能を果たす。
【００１１】
冷却効率や排熱効率を上げるための手段にブレード１４の回転速度を高めることがあるが、ブレード１４から発生する風切音も大きくなるため単純にブレード１４の回転数を上げることはできない。
【００１２】
このためこれらの問題を解決するためにファンモーター１３の周辺部に空間を設けてファンモーター１３に加わる通風抵抗を減らしたり、冷却風を効率よく導くために導風路を形成したり、ファンモーター１３の寸法を大きくし、発生する風切音を小さくしたりすることができるが筐体の寸法が大きくなるといった問題が生じる。
【００１３】
さらに、一般に排気用の冷却ファンは発熱量の大きい光源ランプ部７近傍に設けられ、ファンモーター１３にはそれ自身を回転させるために電子回路等で構成されるモーター部１５を中心に有しているため熱に対する信頼性も低い。
【特許文献１】特開２００３−９８６００号公報
【発明の開示】
【発明が解決しようとする課題】
【００１４】
解決しようとする問題点は、騒音や筐体の寸法を大きくすることなく冷却効率や廃熱効率を上げ、さらに熱に対する信頼性を高めたファンモーターを提供することである。
【課題を解決するための手段】
【００１５】
本発明の請求項１に記載の発明は、ブレードと前記ブレードを駆動させるモーターを備え、前記モーターがブレード内部にない冷却ファンを有することを特徴とするプロジェクターの冷却装置としたものであり、ブレードの面積を大きくするという作用を有する。
【００１６】
請求項２に記載の発明は、ブレードとモーターはフレキシブルなワイヤーにて連結されていることを特徴とする請求項１に記載のプロジェクターの冷却装置としたものであり、モーターから離れた位置にあるブレードを回転させるという作用を有する。
【００１７】
請求項３に記載の発明はシャフトとモーターワイヤーはそれぞれ重心位置において連結されていることを特徴とする請求項２に記載のプロジェクターの冷却装置としたものであり、モーターの回転を効率よく伝え、静かに回転させるという作用を有する。
【００１８】
請求項４に記載の発明は、ワイヤーが中空状のチューブに覆われて形成されていることを特徴とする請求項２に記載のプロジェクターの冷却装置としたものであり、ワイヤーが所定の位置に固定されるという作用を有する。
【００１９】
請求項５に記載の発明は、モーターがブレードの温度より低い個所に配置されることを特徴とする請求項１に記載のプロジェクターの冷却装置としたものであり、モーターの熱に対するという信頼性が高い作用を有する
【発明の効果】
【００２０】
以上のように本発明のプロジェクターの冷却装置におけるファンモーターは、中心にモーター部を格納するスペースが不要なため、ブレードの面積を大きくすることができ、風量を多くできるという利点がある。また、離したモーター部をワイヤーによってブレードと接続することで分離したモーターの回転動作をブレードに伝えることができ、接続されたワイヤーを中空のチューブで覆いさらにそのチューブを固定することでワイヤーがモーターの回転により所定の位置から移動することを防止できる。このため、モーター部を熱源である光源ランプ部と離して設置できるためモーター部に熱負荷が加わっても信頼性を損なうことがないという優れた効果が得られる。
【発明を実施するための最良の形態】
【００２１】
以下、本発明の実施の形態について図１から図２、図６を用いて説明する。
【００２２】
（実施の形態１）
図１は本発明のプロジェクターの構成を示す平面図である。本発明のプロジェクターの基本的な構成は従来と同じであるが、ファンモーター１３ａ、１３ｂ、１３ｃにはそれぞれブレード１４ａ、１４ｂ、１４ｃを回転させるための外部モーター部１７ａ、１７ｂ、１７ｃがファンモーター１３ａ、１３ｂ、１３ｃより離れた位置に配置されておりブレード１４ａ、１４ｂ、１４ｃに外部モーター部１７ａ、１７ｂ、１７ｃの回転動作を伝えるために外部モーター部とブレード１４ａ、１４ｂ、１４ｃがワイヤー１８ａ、１８ｂ、１８ｃで直結されている。また、ワイヤー１８ａ、１８ｂ、１８ｃは外部モーターが回転しても所定の位置で回転するようにチューブ１９ａ、１９ｂ、１９ｃで覆われており、チューブ１９ａ、１９ｂ、１９ｃは筐体内部に固定されている。
【００２３】
チューブ１９ａ、１９ｂ、１９ｃとしては耐磨耗性と柔軟性に優れる、例えばタイゴンチューブが使用でき、ワイヤーが回転しチューブとの摩擦により発生するチューブの磨耗を減らすことができる。
【００２４】
また、ファンモーター１３ａ、１３ｂ、１３ｃはリード線１６ａ、１６ｂ、１６ｃを介して電気回路部４と電気的に接続され、外部モーター部１７ａ、１７ｂ、１７ｃに電流を流すことでワイヤー１８ａ、１８ｂ、１８ｃが回転し、ワイヤー１８ａ、１８ｂ、１８ｃの回転に同期してブレード１４ａ、１４ｂ、１４ｃが回転し、合成部１０や電源部３の冷却や筐体外部に熱を排出する機能を果たす。
【００２５】
図６は従来のプロジェクターの構成において使用されるファンモーターの断面図である。ここでは、軸流ファンの断面を示してあるがモーター部の構成はシロッコファンも同じものである。図６において２０はシャフト、２１はベアリング、２２はマグネット、２３はステーター、２４は回路基板である。
【００２６】
図２は本発明のファンモーターの断面図である。図６との比較においてマグネット２２、ステーター２３、回路基板２４が存在せず、ブレード１４に回転を効率よくかつ静かに伝達するために、シャフト２０と外部モーター部１７がワイヤー１８によってそれぞれの重心が一致するように接続されており、外部モーター部１７の回転動作を伝達する。
【００２７】
以上のように、本実施の形態によればマグネット２２、ステーター２３、回路基板２４がブレード内部に存在しないため、同一の外形寸法でブレード１４の面積を広く確保することができ、ファンモーターの性能を増やすことができる。
【００２８】
また、フレキシブルなワイヤー１８によって接続されているため、外部モーター１７は任意の位置に配置することが可能であり、設計上の制約を受けることもない。
【００２９】
また、シャフト１１と外部モーター１７とワイヤー１８はそれぞれ接合部において断面の重心位置が同じになるように連結されており、外部モーター１７の回転軸に対してワイヤー１８およびシャフトが偏心することなく回転するため、静かに動作させることが可能となる。
【００３０】
このため、ファンモーター１３の周辺部に空間を設けてファンモーター１３に加わる通風抵抗を減らしたり、冷却風を効率よく導くために導風路を形成したり、ファンモーター１３の寸法を大きくし発生する風切音を小さくしたりすることが軽減でき、筐体の寸法が大きくなるといった問題が軽減できる。
【００３１】
また、熱に弱い回路基板２４が存在しないため、ファンモーター１３のように光源ランプ部７の近傍で使用する場合、図１のようにブレードより温度の低い位置にある光源ランプ部７の近傍にない位置に外部モーター１７を設置することにより、熱に対する信頼性を向上することができる。さらに、外部モーター１７をファンモーター１３の冷風の通過する開口部に配置すれば、外部モーター１７自体を冷却しモーターの故障を防止する効果がある。
【００３２】
なお、ワイヤー１８はフレキシブルなものとしたが、シャフト２０と外部モーターの接続にはギアを用いてもよい。
【００３３】
また、図２において、外部モーター部１７の他方の回転軸にさらにワイヤー１８｀を接続し、他のファンモーター１３のシャフト２０に接続することで１つの外部モーターで２つのファンモーターを回転させることができる。またファンモーター１３のシャフト２０の他端にワイヤー１８を接続できれば、さらに別のファンモーターに回転動作を伝達できることは言うまでもない。
【産業上の利用可能性】
【００３４】
本発明にかかるプロジェクターの冷却装置は、ファンモーターの中心にモーター部を格納するスペースが不要なため、ブレードの面積を大きくすることができ、風量を多くできるという利点と、モーター部を熱源である光源ランプ部と離して設置できるためモーター部に熱負荷が加わっても信頼性を損なうことがないという利点を有し、冷却風を送風するファンを有するプロジェクターの冷却装置として有用である。
【図面の簡単な説明】
【００３５】
【図１】本発明の実施の形態におけるプロジェクターの構成を示す平面図
【図２】本発明の実施の形態における軸流ファンの断面図
【図３】従来のプロジェクターの構成を示す平面図
【図４】従来のシロッコファンの外観図
【図５】従来の軸流ファンの外観図
【図６】従来の実施の形態における軸流ファンの断面図
【符号の説明】
【００３６】
１  筐体
２  光学ブロック
３  電源部
４  電気回路部
５  冷却部
６  排気部
７  光源ランプ部
８  分光部
９  映像表示部
１０  合成部
１１  投射レンズ部
１２  ダクト
１３  ファンモーター
１４  ブレード
１５  モーター部
１６  リード線
１７  外部モーター部
１８  ワイヤー
１９  チューブ
２０  シャフト
２１  ベアリング
２２  マグネット
２３  ステーター
２４  回路基板
【図１】
2006259057.tif 000003
【図２】
2006259057.tif 000004
【図３】
2006259057.tif 000005
【図４】
2006259057.tif 000006
【図５】
2006259057.tif 000007
【図６】
2006259057.tif 000008